(57)【要約】【課題】ローダーシャーシの構造を僅かに変更するだけで、コストアップを招くことなく、偏重心光ディスクの高速回転時におけるトラバースシャーシとローダーシャーシの共振を抑えることができる光ディスク装置を提供する。【解決手段】トラバースシャーシから突き出した主凸部１３と副凸部１４を、ローダーシャーシの前枠部の縦壁１ｅに形成された主スリット１５と副スリット１６に挿入し、主凸部１３と副凸部１４が主スリット１５と副スリット１６の内部を上昇したとき、主凸部１３と副凸部１４が互いに離反する方向に押されるように、主スリットの副スリット側の側縁の上部１５ｃと副スリット１６の主スリット側の側縁の上部１６ｃをスリット内方へ少し突入させた構成の光ディスク装置とする。主凸部１３又は副凸部１４が両側から挟まれるように、主スリット１５又は副スリット１６の両側縁の上部をスリット内方へ少し突入させてもよい。【選択図】図３
2008282445.tif 000002
【特許請求の範囲】
【請求項１】
光ピックアップやターンテーブルなどが搭載されたトラバースシャーシを、その後端部の二箇所でゴムダンパーを介してローダーシャーシに上下回動可能に取付け、主カム溝と副カム溝が形成されたカムスライダーをローダーシャーシの前枠部に左右スライド可能に取付けると共に、トラバースシャーシの前端から突き出した主凸部と副凸部を、カムスライダーの主カム溝と副カム溝を通して、ローダーシャーシの前枠部の縦壁に形成された昇降ガイド用の縦の主スリットと副スリットに挿入した光ディスク装置において、
主凸部と副凸部が主スリットと副スリットの内部を上昇したとき、主凸部と副凸部が互いに離反する方向に押されるように、主スリットの副スリット側の側縁の上部を主スリットの内方へ少し突入させると共に、副スリットの主スリット側の側縁の上部を副スリットの内方へ少し突入させたことを特徴とする光ディスク装置。
【請求項２】
光ピックアップやターンテーブルなどが搭載されたトラバースシャーシを、その後端部の二箇所でゴムダンパーを介してローダーシャーシに上下回動可能に取付け、主カム溝と副カム溝が形成されたカムスライダーをローダーシャーシの前枠部に左右スライド可能に取付けると共に、トラバースシャーシの前端から突き出した主凸部と副凸部を、カムスライダーの主カム溝と副カム溝を通して、ローダーシャーシの前枠部の縦壁に形成された昇降ガイド用の縦の主スリットと副スリットに挿入した光ディスク装置において、
主凸部と副凸部が主スリットと副スリットの内部を上昇したとき、主凸部又は副凸部が両側から挟まれるように、主スリット又は副スリットの両側縁の上部を主スリット又は副スリットの内方へ少し突入させたことを特徴とする光ディスク装置。
【請求項３】
主スリットの副スリット側の側縁を、その下端から上部に近づくほど主スリットの内方へ傾くように傾斜させ、この側縁の上部を垂直に形成する一方、副スリットの主スリット側の側縁を、その下端から上部に近づくほど副スリットの内方へ傾くように傾斜させ、この側縁の上部を垂直に形成したことを特徴とする請求項１に記載の光ディスク装置。
【請求項４】
主スリット又は副スリットの両側縁を、その下端から上部に近づくほど主スリット又は副スリットの内方へ傾くように傾斜させ、この両側縁の上部を垂直に形成したことを特徴とする請求項２に記載の光ディスク装置。
【請求項５】
主凸部が、トラバースシャーシの前端から突き出したボス部にゴムダンパーを介してキャップを被着したものであることを特徴とする請求項１ないし請求項４のいずれかに記載の光ディスク装置。
【発明の詳細な説明】
【技術分野】
【０００１】
本発明はＣＤ、ＤＶＤなどの光ディスク装置に関し、特に、偏重心の光ディスクを高速回転させたときのトラバースシャーシとローダーシャーシの共振を抑えるように改良した光ディスク装置に関する。
【背景技術】
【０００２】
従来より、この種の光ディスク装置として、光ピックアップやターンテーブルなどが搭載されたトラバースシャーシ（ドライブシャーシ）を、その後端部の二箇所でゴムダンパーを介してローダーシャーシに上下回動可能に取付け、主カム溝と副カム溝が形成されたカムスライダーをローダーシャーシの前枠部に左右スライド可能に取付けると共に、トラバースシャーシの前端から突き出した主凸部と副凸部を、カムスライダーの主カム溝と副カム溝を通して、ローダーシャーシの前枠部の縦壁に形成された昇降ガイド用の縦の主スリットと副スリットに挿入したものが知られている。
【０００３】
また、偏重心の光ディスクを高速回転させたときのドライブ機構ユニットのガタツキや振動を抑制するために、ドライブ機構ユニットの後端部をメインシャーシに取付ける軸にリング状の緩衝部材を装着し、ドライブ機構ユニットの前方部分を側方から押圧するバネ部材をメインシャーシに取付けた光ディスク装置も知られている（特許文献１）。
【特許文献１】特開平１０−２１６８０号公報
【発明の開示】
【発明が解決しようとする課題】
【０００４】
前述した従来の光ディスク装置は、光ディスク回転時の振動を抑えるために、トラバースシャーシの前端から突き出した主凸部にゴムダンパーを被着しているが、その防振効果が不十分であるため、偏重心の光ディスクをターンテーブルとクランパーで挟んで高速回転させると、トラバースシャーシとローダーシャーシが共振するという問題があった。
【０００５】
一方、前記特許文献１の光ディスク装置は、ドライブ機構ユニットの前方部分を側方からバネ部材で押圧するため、偏重心の光ディスクを高速回転させても、ガタツキや振動をある程度抑えることができる。けれども、バネ部材でドライブ機構ユニットを強く押圧するとドライブ機構ユニットの昇降動作に支障を来す恐れがあるので、あまり強く押圧することができず、それ故、偏重心光ディスクの高速回転時にドライブ機構ユニットとメインシャーシの共振を十分に防止することが困難であった。しかも、バネ部材を組み込む必要があるため、部品点数や組立工数が増え、コストアップを招くという問題もあった。
【０００６】
本発明は上記事情の下になされたもので、その解決しようとする課題は、ローダーシャーシの構造を僅かに変更するだけで、コストアップを招くことなく、偏重心光ディスクの高速回転時におけるトラバースシャーシとローダーシャーシの共振を抑えることができる光ディスク装置を提供することにある。
【課題を解決するための手段】
【０００７】
上記の課題を解決するため、本発明に係る第一の光ディスク装置は、光ピックアップやターンテーブルなどが搭載されたトラバースシャーシを、その後端部の二箇所でゴムダンパーを介してローダーシャーシに上下回動可能に取付け、主カム溝と副カム溝が形成されたカムスライダーをローダーシャーシの前枠部に左右スライド可能に取付けると共に、トラバースシャーシの前端から突き出した主凸部と副凸部を、カムスライダーの主カム溝と副カム溝を通して、ローダーシャーシの前枠部の縦壁に形成された昇降ガイド用の縦の主スリットと副スリットに挿入した光ディスク装置において、主凸部と副凸部が主スリットと副スリットの内部を上昇したとき、主凸部と副凸部が互いに離反する方向に押されるように、主スリットの副スリット側の側縁の上部を主スリットの内方へ少し突入させると共に、副スリットの主スリット側の側縁の上部を副スリットの内方へ少し突入させたことを特徴とするものである。
【０００８】
そして、本発明に係る第二の光ディスク装置は、光ピックアップやターンテーブルなどが搭載されたトラバースシャーシを、その後端部の二箇所でゴムダンパーを介してローダーシャーシに上下回動可能に取付け、主カム溝と副カム溝が形成されたカムスライダーをローダーシャーシの前枠部に左右スライド可能に取付けると共に、トラバースシャーシの前端から突き出した主凸部と副凸部を、カムスライダーの主カム溝と副カム溝を通して、ローダーシャーシの前枠部の縦壁に形成された昇降ガイド用の縦の主スリットと副スリットに挿入した光ディスク装置において、主凸部と副凸部が主スリットと副スリットの内部を上昇したとき、主凸部又は副凸部が両側から挟まれるように、主スリット又は副スリットの両側縁の上部を主スリット又は副スリットの内方へ少し突入させたことを特徴とするものである。
【０００９】
本発明の第一の光ディスク装置においては、主スリットの副スリット側の側縁を、その下端から上部に近づくほど主スリットの内方へ傾くように傾斜させ、この側縁の上部を垂直に形成する一方、副スリットの主スリット側の側縁を、その下端から上部に近づくほど副スリットの内方へ傾くように傾斜させ、この側縁の上部を垂直に形成することが好ましい。また、本発明の第二の光ディスク装置においては、主スリット又は副スリットの両側縁を、その下端から上部に近づくほど主スリット又は副スリットの内方へ傾くように傾斜させ、この両側縁の上部を垂直に形成することが好ましい。
【００１０】
更に、本発明の第一及び第二の光ディスク装置においては、主凸部が、トラバースシャーシの前端から突き出したボス部にゴムダンパーを介してキャップを被着したものであることが好ましい。
【発明の効果】
【００１１】
本発明に係る第一の光ディスク装置では、カムスライダーによってトラバースシャーシが上昇（上方へ回動）し、偏重心の光ディスクがターンテーブルとクランパーで挟持されて回転すると、主スリットの内部を上昇した主凸部が、主スリットの副スリット側の側縁の上部（主スリットの内方へ突入した上部）によって副凸部から離反する方向に押圧されると共に、副スリットの内部を上昇した副凸部が、副スリットの主スリット側の側縁の上部（副スリットの内方へ突入した上部）によって主凸部から離反する方向に押圧され、主凸部も副凸部も横方向（左右方向）の移動が規制されて、トラバースシャーシがローダーシャーシの前枠部の縦壁に対して仮固定された状態となるため、偏重心光ディスクの回転によるトラバースシャーシの自励振動やトラバースシャーシとローダーシャーシの共振が抑えられる。
【００１２】
また、本発明に係る第二の光ディスク装置では、カムスライダーによってトラバースシャーシが上昇（上方へ回動）し、偏重心の光ディスクがターンテーブルとクランパーで挟持されて回転すると、主スリットの内部を上昇した主凸部又は副スリットの内部を上昇した副凸部が、主スリット又は副スリットの両側縁の上部（主スリット又は副スリットの内方へ突入した上部）によって両側から挟まれ、主凸部又は副凸部の横方向（左右方向）の移動が規制されて、トラバースシャーシがローダーシャーシの前枠部の縦壁に対して仮固定された状態となるため、第一の光ディスク装置の場合と同様に、偏重心光ディスクの回転によるトラバースシャーシの自励振動やトラバースシャーシとローダーシャーシの共振が抑えられる。
【００１３】
本発明の第一及び第二の光ディスク装置はいずれも、ローダーシャーシの前枠部の縦壁に形成された昇降ガイド用の主スリットや副スリットの側縁の形状を、その上部がスリット内方へ突入するように僅かに変更するだけで目的を達成できるものであり、部品点数や組立工数の増加が全くないものであるから、コストアップを招くことがなく、経済的に有利である。また、主スリットや副スリットの側縁の上部をスリット内方へ突入させて主凸部や副凸部の横方向の移動を規制しているため、トラバースシャーシの昇降動作に悪影響を及ぼす危惧は少ない。
【００１４】
特に、第一の光ディスク装置において、主スリットの副スリット側の側縁を、その下端から上部に近づくほど主スリットの内方へ傾くように傾斜させ、この側縁の上部を垂直に形成する一方、副スリットの主スリット側の側縁を、その下端から上部に近づくほど副スリットの内方へ傾くように傾斜させ、この側縁の上部を垂直に形成したものは、トラバースシャーシが上昇（上方へ回動）するときに、主凸部が主スリットの傾斜した側縁に沿って垂直な側縁上部までスムーズに移動し、副凸部も副スリットの傾斜した側縁に沿って垂直な側縁上部までスムーズに移動するので、トラバースシャーシの昇降動作に支障を来す恐れは皆無に等しい。
【００１５】
同様に、第二の光ディスク装置において、主スリット又は副スリットの両側縁を、その下端から上部に近づくほど主スリット又は副スリットの内方へ傾くように傾斜させ、この両側縁の上部を垂直に形成したものも、トラバースシャーシが上昇するときに、主凸部又は副凸部が主スリット又は副スリットの傾斜した両側の側縁に沿って垂直な両側の側縁上部までスムーズに移動するので、トラバースシャーシの昇降動作に支障を来す恐れは皆無に等しい。
【００１６】
また、第一及び第二の光ディスク装置において、主凸部が、トラバースシャーシの前端から突き出したボス部にゴムダンパーを介してキャップを被着したものであると、ゴムダンパーによる防振効果も加わるため、トラバースシャーシとローダーシャーシの共振をより顕著に抑えることができる。
【発明を実施するための最良の形態】
【００１７】
以下、図面を参照して本発明の具体的な実施形態を詳述する。
【００１８】
図１は本発明の一実施形態に係る光ディスク装置の平面図、図２は同光ディスク装置のターンテーブルや光ピックアップが搭載されたトラバースシャーシとカムスライダーを示す概略斜視図、図３はトラバースシャーシが上昇した状態にある同光ディスク装置の要部拡大説明図、図４はトラバースシャーシが下降した状態にある同光ディスク装置の要部拡大説明図、図５は図３のＡ−Ａ線に沿った概略断面図である。
【００１９】
この光ディスク装置は、図１，図２に示すように、合成樹脂製のローダーシャーシ１の内側に、合成樹脂製のトラバースシャーシ２が、その後端部の左右二箇所において、グロメット形状のゴムダンパー３を介して下方からネジ４をネジ孔１ａにねじ込むことにより、上下回動可能に取付けられている。従って、このトラバースシャーシ２の後部に生じる振動は、ゴムダンパー３によって減衰されるようになっている。
【００２０】
図２に示すように、このトラバースシャーシ２には、ターンテーブル５と光ピックアップ６が搭載されており、ターンテーブル５は、トラバースシャーシ２の前部に搭載されたスピンドルモータ７の出力軸７ａに固着されている。そして、光ピックアップ６は、図１，図２に示すように、トラバースシャーシ２に設けた２本のガイド軸８，８（主軸と副軸）に沿って、トラッキング方向、即ち、ターンテーブル５に対して接近・離反する方向に移動するように搭載されている。
【００２１】
ターンテーブル５の上方にはディスククランパー９が配置されており、このディスククランパー９は、図１に示すようにローダーシャーシ１の左右側壁間に架設されたブリッジ部１ｂの中央のクランパー保持部１ｃに回転自在に保持されている。
【００２２】
ローダーシャーシ１の内側には、図１に仮想線で示すように、光ディスクをターンテーブル５とディスククランパー９との間に送り込むトレイ１０が前後方向にスライド可能に取付けられており、また、ローダーシャーシ１の前枠部１ｄには、トラバースシャーシ２を昇降（上下に回動）させるカムスライダー１１が左右スライド可能に取付けられている。そして、光ピックアップ６、トレイ１０、カムスライダー１１を作動させる駆動モータ（不図示）と駆動力伝達歯車機構（不図示）が、ローダーシャーシ１とトラバースシャーシ２に設けられている。
【００２３】
カムスライダー１１は、図２に示すように、垂下板部１１ａに主カム溝１１ｂと副カム溝１１ｃが形成されると共に、天板部１１ｄの片側（図２では右側）の突片にラック１１ｅが形成されたものであって、図１，図５に示すように、垂下板部１１ａがローダーシャーシ１の前枠部１ｄの縦壁１ｅの後面に沿うように天板部１１ｄが前枠部１ｄの上面に重ねられ、且つ、垂下板部１１ａの下端が縦壁１ｅの下端の敷居部１ｆで支持されて、スライド可能にカムスライダー１１が前枠部１ｄに取付けられており、ラック１１ｅに噛み合うピニオン１２が回転すると、カムスライダー１１が左右にスライドするようになっている。
【００２４】
トラバースシャーシ２の前端には、図１に示すように、主凸部１３と、この主凸部１３よりも細い副凸部１４が突設されている。主凸部１３は、図２，図５に示すように、トラバースシャーシ２の前端から突き出したボス部１３ａに中空のゴムダンパー１３ｂを介して合成樹脂製のキャップ１３ｃを被着したものであり、副凸部１４は、トラバースシャーシ２の前端から突き出したボス部１４のみからなるものである。
【００２５】
上記の主凸部１３は、図３〜図５に示すように、カムスライダー１１の主カム溝１１ｂを貫通して、ローダーシャーシ１の前枠部１ｄの縦壁１ｅに形成された昇降ガイド用の縦の主スリット１５に挿入されており、上記の副凸部１４は、カムスライダーの副カム溝１１ｃを貫通して、上記縦壁１ｅに形成された昇降ガイド用の縦の副スリット１６に挿入されている。
【００２６】
主スリット１５の副スリットと反対側の側縁１５ａ、及び、副スリット１６の主スリットと反対側の側縁１６ａは、いずれも垂直に形成しているが、トラバースシャーシの上昇に伴って主凸部１３と副凸部１４が図３に示すように主スリット１５と副スリット１６の内部を上昇したとき、主凸部１３と副凸部１４が矢印の如く互いに離反する方向に押圧されるように、主スリット１５の副スリット側の側縁１５ｂの上部１５ｃを主スリット１５の内方へ少し突入させると共に、副スリット１６の主スリット側の側縁１６ｂの上部１６ｃを副スリット１６の内方へ少し突入させている。そして、主スリット１５の副スリット側の側縁１５ｂを、その下端から上部１５ｃに近づくほど主スリット１５の内方へ傾くように傾斜させ、上部１５ｃを垂直に形成すると共に、副スリット１６の主スリット側の側縁１６ｂを、その下端から上部１６ｃに近づくほど副スリット１６の内方へ傾くように傾斜させ、上部１６ｃを垂直に形成している。
【００２７】
以上のように構成された光ディスク装置は、トラバースシャーシ２が下降したトレイオープンの状態において、光ディスクをトレイ１０に載置してターンテーブル５とディスククランパー９との間に送り込むと、ラック１１ｅに噛み合ったピニオン１２が回転して、カムスライダー１１が図１，図３に示すように右方向にスライドする。このようにカムスライダー１１がスライドすると、主凸部１３と副凸部１４が主カム溝１１ｂと副カム溝１１ｃの内部を摺動しながら主スリット１５と副スリット１６の内部を上昇するため、それに伴ってトラバースシャーシ２が上昇（上方に回動）し、光ディスクがターンテーブル５とディスククランパー９とで挟持されて回転する。すると、光ピックアップ６がターンテーブル５に向かって移動しながらレーザービームを光ディスクに照射し、記録・再生が行われる。そして、記録・再生が終わると、上記と逆動作して光ディスクがトレイ１０に載って取り出される。
【００２８】
上記のように、トラバースシャーシ２が上昇して光ディスクがターンテーブル５とクランパー９により挟持されて回転すると、図３に示すように、主スリット１５の内部を上昇した主凸部１３が、主スリット１５の副スリット側の側縁１５ｂの上部１５ｃ（主スリットの内方へ突入した上部）によって副凸部１６から離反する方向に押圧されると共に、副スリット１６の内部を上昇した副凸部１４が、副スリット１６の主スリット側の側縁１６ｂの上部１６ｃ（副スリットの内方へ突入した上部）によって主凸部１３から離反する方向に押圧され、主凸部１３も副凸部１４も横方向（左右方向）の移動が規制されて、トラバースシャーシ２がローダーシャーシ１の前枠部１ｄの縦壁１ｅに対して仮固定された状態となるため、光ディスクが偏重心光ディスクであっても、該偏重心光ディスクの回転によるトラバースシャーシ２の自励振動やトラバースシャーシ２とローダーシャーシ１の共振が抑えられる。そして、主凸部１３の中空のゴムダンパー１３ｂも防振作用を発揮する。
【００２９】
しかも、この光ディスク装置は、主凸部１３と副凸部１４が主スリット１５と副スリット１６の傾斜した側縁１５ｂ，１６ｂに沿って垂直な側縁上部１５ｃ，１６ｃまでスムーズに上昇できるようにし、主スリット１５と副スリット１６の内方へ突入した垂直な側縁上部１５ｃ，１６ｃのみによって主凸部１３と副凸部１４の横方向の移動を規制しているため、トラバースシャーシ２の昇降動作に悪影響を及ぼす心配は殆どない。
【００３０】
また、この光ディスク装置は、主スリット１５と副スリット１６の側縁１５ｂ，１６ｂの形状を、上記のように側縁上部１５ｃ，１６ｃがスリット内方へ突入するように僅かに変更するだけで、偏重心光ディスクの回転時の振動を抑えることができるものであり、部品点数や組立工数の増加が全くないものであるから、コストアップを招くことがなく、経済的に有利である。
【００３１】
図６は、トラバースシャーシが上昇した状態にある本発明の他の実施形態に係る光ディスク装置の要部拡大説明図である。
【００３２】
この光ディスク装置は、ローダーシャーシの前枠部の縦壁１ｅに、昇降ガイド用の主スリット１５と副スリット１６が形成されているが、主スリット１５の両側縁１５ａ，１５ｂの上部１５ｄ，１５ｃは、主凸部１３が主スリット１５の内部を上昇したときに矢印の如く両側から挟圧されるように、主スリット１５の内方へ少し突入して、上部１５ｄ，１５ｃの相互間隔が主凸部１３の外径と同一もしくは若干小さくなっており、一方、副スリット１６の両側縁１６ａ，１６ｂはいずれも垂直に形成されて、両側縁１６ａ，１６ｂの相互間隔が副凸部１４の外径よりも少し大きくなっている。そして、主スリット１５の両側縁１５ａ，１５ｂは、その下端から上部１５ｄ，１５ｃに近づくほど主スリット１５の内方へ傾くように傾斜し、これらの側縁上部１５ｄ，１５ｃは垂直に形成されている。
【００３３】
この光ディスク装置のその他の構成は、前述した光ディスク装置のそれと同様であるから、図６において同一部材に同一符号を付して説明を省略する。
【００３４】
このような光ディスク装置は、トラバースシャーシが上昇して光ディスクがターンテーブルとクランパーにより挟持されて回転すると、主スリット１５の内部を上昇した主凸部１３が主スリット１５の両側縁１５ａ，１５ｂの上部１５ｄ，１５ｃ（主スリットの内方へ突入した上部）によって両側から挟圧され、主凸部１３の横方向（左右方向）の移動が規制されて、トラバースシャーシがローダーシャーシの前枠部の縦壁１ｅに対して仮固定された状態となるため、前述した光ディスク装置の場合と同様に、偏重心光ディスクの回転によるトラバースシャーシの自励振動やトラバースシャーシとローダーシャーシの共振が抑えられる。
【００３５】
図６に示す光ディスク装置では、主スリット１５の両側縁１５ａ，１５ｂの上部１５ｄ，１５ｃを主スリット１５の内方へ突入させ、副スリット１６の両側縁１６ａ，１６ｂを垂直に形成しているが、これとは逆に、副スリット１６の両側縁１６ａ，１６ｂの上部を副スリット１５の内方へ突入させ、主スリット１５の両側縁１５ａ，１５ｂを垂直に形成してもよく、その場合も同様の防振効果を得ることができる。また、以上の光ディスク装置はいずれも、主凸部１３がボス部１３ａにゴムダンパー１３ｂを介してキャップ１３ｃを被着したものであるが、主凸部１３をボス部１３ａのみで構成しても勿論よい。
【図面の簡単な説明】
【００３６】
【図１】本発明の一実施形態に係る光ディスク装置の平面図である。
【図２】同光ディスク装置のターンテーブルや光ピックアップが搭載されたトラバースシャーシとカムスライダーを示す概略斜視図である。
【図３】トラバースシャーシが上昇した状態にある同光ディスク装置の要部拡大説明図である。
【図４】トラバースシャーシが下降した状態にある同光ディスク装置の要部拡大説明図である。
【図５】図３のＡ−Ａ線に沿った概略断面図である。
【図６】トラバースシャーシが上昇した状態にある本発明の他の実施形態に係る光ディスク装置の要部拡大説明図である。
【符号の説明】
【００３７】
１    ローダーシャーシ
１ｄ  前枠部
１ｅ  縦壁
２    トラバースシャーシ
５    ターンテーブル
６    光ピックアップ
７    スピンドルモータ
９    ディスククランパー
１０  トレイ
１１  カムスライダー
１１ｂ  主カム溝
１１ｃ  副カム溝
１３  主凸部
１３ａ  ボス部
１３ｂ  ゴムダンパー
１３ｃ  キャップ
１４  副凸部
１５  主スリット
１５ｂ  主スリットの副スリット側の側縁
１５ｃ  側縁の上部
１６  副スリット
１６ｂ  副スリットの主スリット側の側縁
１６ｃ  側縁の上部
【図１】
2008282445.tif 000003
【図２】
2008282445.tif 000004
【図３】
2008282445.tif 000005
【図４】
2008282445.tif 000006
【図５】
2008282445.tif 000007
【図６】
2008282445.tif 000008